(57)【要約】【目的】  本発明は、屋外用燃焼装置の内部に配置される固形燃料の燃焼効率を向上させる。【構成】  屋外用燃焼装置Ｂ１は、火床１００と、五徳とを備えている。火床１００は、固形燃料を燃焼させるための燃焼空間を有している。五徳は、燃焼空間の上側または燃焼空間内に配置される環状の燃料支持部Ｘを有している。この燃料支持部Ｘ内に固形燃料が配置可能であり、当該固形燃料を燃料支持部Ｘに立てかけて支持させることが可能である。【選択図】      図１
2019042212.tif 000002
【特許請求の範囲】
【請求項１】
固形燃料を燃焼させるための燃焼空間を有する火床と、
前記燃焼空間の上側または前記燃焼空間内に配置される環状の燃料支持部を有する五徳とを備えており、
前記燃料支持部内に固形燃料が配置可能であり、当該固形燃料を前記燃料支持部に立てかけて支持させることが可能である屋外用燃焼装置。
【請求項２】
請求項１記載の屋外用燃焼装置において、
前記火床は、第１方向に間隔をあけて配置された一対の第１支持部と、
前記第１方向に間隔をあけて配置されており且つ前記一対の第１支持部に対向する一対の第２支持部と、
前記第１方向に交差する第２方向に間隔をあけて配置された一対の第３支持部と、
前記第２方向に間隔をあけて配置されており且つ前記一対の第３支持部に対向する一対の第４支持部とを備えており、
前記五徳は、前記一対の第１支持部と前記一対の第２支持部に支持された一対の第１懸架部材と、
前記一対の第１懸架部材に交差するように前記一対の第３支持部と前記一対の第４支持部に支持された一対の第２懸架部材とを有しており、
前記燃料支持部は、前記一対の第１懸架部材と前記一対の第２懸架部材との交差部と、
前記一対の第１懸架部材と前記一対の第２懸架部材の前記交差部間の部分とで構成されている屋外用燃焼装置。
【請求項３】
請求項１記載の屋外用燃焼装置において、
前記火床の上側で第１方向に間隔をあけて配置された一対の第１支持部と、
前記火床の上側で前記第１方向に間隔をあけて配置されており且つ前記一対の第１支持部に対向する一対の第２支持部と、
前記火床の上側で前記第１方向に交差する第２方向に間隔をあけて配置された一対の第３支持部と、
前記火床の上側で前記第２方向に間隔をあけて配置されており且つ前記一対の第１支持部に対向する一対の第４支持部とをさらに備えており、
前記五徳は、前記一対の第１支持部と前記一対の第２支持部に支持された一対の第１懸架部材と、
前記一対の第１懸架部材に交差するように前記一対の第３支持部と前記一対の第４支持部に支持された一対の第２懸架部材とを有しており、
前記燃料支持部は、前記一対の第１懸架部材と前記一対の第２懸架部材との交差部と、
前記一対の第１懸架部材と前記一対の第２懸架部材の前記交差部間の部分とで構成されている屋外用燃焼装置。
【請求項４】
請求項１〜３の何れかに記載の屋外用燃焼装置において、
前記火床内に支持されており且つ固形燃料を載置可能な燃料載置部をさらに備えている屋外用燃焼装置。
【請求項５】
請求項１〜３の何れかに記載の屋外用燃焼装置において、
前記火床は、固形燃料を載置可能な底部を有している屋外用燃焼装置。
【発明の詳細な説明】
【技術分野】
【０００１】
本発明は、バーベキューグリルや焚火台などの屋外用燃焼装置に関する。
【背景技術】
【０００２】
従来の屋外用燃焼装置が下記特許文献１に記載されている。この屋外用燃焼装置は、炭や薪などの固形燃料を収容可能な火床と、この火床の上端に十字状に懸架された五徳とを備えている。
【先行技術文献】
【特許文献】
【０００３】
【特許文献１】特開平１０-１２７４９８号公報
【発明の概要】
【発明が解決しようとする課題】
【０００４】
この種の屋外用燃焼装置では、内部に配置される固形燃料の燃焼効率を向上させることが求められている。
【０００５】
本発明は、上記事情に鑑みて創案されたものであって、その目的とするところは、固形燃料の燃焼効率を向上させることができる屋外用燃焼装置を提供する。
【課題を解決するための手段】
【０００６】
上記課題を解決するために、本発明の一態様の屋外用燃焼装置は、固形燃料を燃焼させるための燃焼空間を有する火床と、燃焼空間の上側または燃焼空間内に配置される環状の燃料支持部を有する五徳とを備えている。燃料支持部内に固形燃料が配置可能であり、当該固形燃料を燃料支持部に立てかけて支持させることが可能である。
【０００７】
このような態様の屋外用燃焼装置による場合、固形燃料が燃料支持部に立てかけて支持されるので、固形燃料の燃焼により生じる上昇気流によって固形燃料が燃焼し易くなり、その結果、固形燃料の燃焼効率が向上する。
【０００８】
火床は、第１方向に間隔をあけて配置された一対の第１支持部と、第１方向に間隔をあけて配置されており且つ一対の第１支持部に対向する一対の第２支持部と、第１方向に交差する第２方向に間隔をあけて配置された一対の第３支持部と、第２方向に間隔をあけて配置されており且つ一対の第３支持部に対向する一対の第４支持部とを備えた構成とすることも可能である。この場合、五徳は、一対の第１支持部と一対の第２支持部に支持された一対の第１懸架部材と、一対の第１懸架部材に交差するように一対の第３支持部と一対の第４支持部に支持された一対の第２懸架部材とを有する構成とすることが可能である。
【０００９】
または、屋外用燃焼装置は、火床の上側で第１方向に間隔をあけて配置された一対の第１支持部と、火床の上側で第１方向に間隔をあけて配置されており且つ一対の第１支持部に対向する一対の第２支持部と、火床の上側で第１方向に交差する第２方向に間隔をあけて配置された一対の第３支持部と、火床の上側で第２方向に間隔をあけて配置されており且つ一対の第１支持部に対向する一対の第４支持部とをさらに備えた構成とすることが可能である。この場合、五徳は、一対の第１支持部と一対の第２支持部に支持された一対の第１懸架部材と、一対の第１懸架部材に交差するように一対の第３支持部と一対の第４支持部に支持された一対の第２懸架部材とを有する構成とすることが可能である。
【００１０】
上記何れの場合も、燃料支持部は、一対の第１懸架部材と一対の第２懸架部材との交差部、一対の第１懸架部材交差部間の部分および一対の第２懸架部材の交差部間の部分で構成することが可能である。
【００１１】
上記した何れかの態様の屋外用燃焼装置は、火床内に支持されており且つ固形燃料を載置可能な燃料載置部をさらに備えた構成とすることが可能である。このような態様の屋外用燃焼装置による場合、固形燃料を燃料支持部および燃料載置部に立てかけて支持させることが可能であるので、固形燃料を立てかけて支持させ易くなる。
【００１２】
火床は、固形燃料を載置可能な底部を有する構成とすることが可能である。このような態様の屋外用燃焼装置による場合、固形燃料を燃料支持部および火床の底部に立てかけて支持させることが可能であるので、固形燃料を立てかけて支持させ易くなる。
【図面の簡単な説明】
【００１３】
【図１】本発明の実施例１に係る屋外用燃焼装置の斜視図である。
【図２】前記実施例１の屋外用燃焼装置の第１設計変形例の斜視図である。
【図３】本発明の実施例２に係る屋外用燃焼装置の斜視図である。
【図４】前記実施例２の屋外用燃焼装置の第１設計変形例の斜視図である。
【図５】本発明の実施例３に係る屋外用燃焼装置の斜視図である。
【図６】本発明の実施例４に係る屋外用燃焼装置の斜視図である。
【図７Ａ】前記実施例１に係る屋外用燃焼装置の第２設計変形例の正面図である。
【図７Ｂ】前記第２設計変形例の屋外用燃焼装置の背面図である。
【図７Ｃ】前記第２設計変形例の屋外用燃焼装置の平面図である。
【図７Ｄ】前記第２設計変形例の屋外用燃焼装置の底面図である。
【図７Ｅ】前記第２設計変形例の屋外用燃焼装置の右側面図である。
【図８Ａ】前記実施例１に係る屋外用燃焼装置の第３設計変形例の正面図である。
【図８Ｂ】前記第３設計変形例の屋外用燃焼装置の背面図である。
【図８Ｃ】前記第３設計変形例の屋外用燃焼装置の平面図である。
【図８Ｄ】前記第３設計変形例の屋外用燃焼装置の底面図である。
【図８Ｅ】前記第３設計変形例の屋外用燃焼装置の右側面図である。
【図９Ａ】前記実施例１に係る屋外用燃焼装置の第４設計変形例の正面図である。
【図９Ｂ】前記第４設計変形例の屋外用燃焼装置の背面図である。
【図９Ｃ】前記第４設計変形例の屋外用燃焼装置の平面図である。
【図９Ｄ】前記第４設計変形例の屋外用燃焼装置の底面図である。
【図９Ｅ】前記第４設計変形例の屋外用燃焼装置の右側面図である。
【図１０Ａ】前記実施例１に係る屋外用燃焼装置の第５設計変形例の正面図である。
【図１０Ｂ】前記第５設計変形例の屋外用燃焼装置の背面図である。
【図１０Ｃ】前記第５設計変形例の屋外用燃焼装置の平面図である。
【図１０Ｄ】前記第５設計変形例の屋外用燃焼装置の底面図である。
【図１０Ｅ】前記第５設計変形例の屋外用燃焼装置の右側面図である。
【発明を実施するための形態】
【００１４】
以下、本発明の実施例１〜４を含む種々の実施例について説明する。
【実施例１】
【００１５】
以下、本発明の実施例１およびその設計変形例を含む複数の実施例に係る屋外用燃焼装置Ｂ１ついて図１および図２を参照しつつ説明する。屋外用燃焼装置Ｂ１は、バーベキューグリルおよび／または焚火台である。図１には、実施例１の屋外用燃焼装置Ｂ１が示されており、図２には、実施例１の屋外用燃焼装置Ｂ１の第１設計変形例が示されている。なお、図１および図２に示すＺ−Ｚ’方向は屋外用燃焼装置Ｂ１の高さ方向であり、Ｘ−Ｘ’方向はＺ−Ｚ’方向に直交する方向であり、Ｙ−Ｙ’方向はＺ−Ｚ’方向およびＸ−Ｘ’方向に直交する方向である。
【００１６】
屋外用燃焼装置Ｂ１は火床１００を備えている。火床１００は、内部に燃焼空間を有している。火床１００は、４以上の側板１１０を有している。側板１１０は、一対の側辺を有している。側板１１０は、環状に配置されている。火床１００は、下記１）〜４）の何れかの構成をさらに有している。
【００１７】
１）火床１００は、上下逆の中空の四角錘台状（図１および図２参照）であって、４つの上下逆の台形状の側板１１０、４つのヒンジ部１２１および２つのヒンジ部１２２を有している。または、火床１００は、四角筒状であって、４つの矩形状の側板１１０、４つのヒンジ部１２１および２つのヒンジ部１２２を有している。何れの場合も、側板１１０は、二つの側板１１０ａと、二つの側板１１０ｂとを含む。側板１１０ａ、１１０ｂは展開状態で四角環状に配置されており、側板１１０ａはＹ−Ｙ’方向において対向し、側板１１０ｂはＸ−Ｘ’方向で対向している。側板１１０ａのうちのＹ方向側の側板１１０ａは、二つの側板１１０ｂと隣り合っており、Ｙ方向側の側板１１０ａのＸ方向側、Ｘ’方向側の側辺と二つの側板１１０ｂの一対の側辺のうちのＹ方向側の側辺とがヒンジ部１２１によって各々回動自在に連結されている。Ｙ’方向側の側板１１０ａも、二つの側板１１０ｂと隣り合っており、Ｙ’方向側の側板１１０ａのＸ方向側、Ｘ’方向側の側辺と二つの側板１１０ｂのＹ’方向側の側辺とがヒンジ１２１部によって各々回動自在に連結されている。側板１１０ｂは、当該側板１１０ｂを二分し対称形状をなす第１板１１１ｂおよび第２板１１２ｂを各々有している。第１板１１１ｂは、側板１１０ｂの前記Ｙ方向側の側辺およびその反対側の対辺を有し、第２板１１２ｂは、側板１１０ｂの前記Ｙ’方向側の側辺およびその反対側の対辺を有している。側板１１０ｂの各々において、第１板１１１ｂの対辺と第２板１１２ｂの対辺とがヒンジ部１２２によって回動自在に連結されている。展開状態の火床１００の側板１１０ｂの第１板１１１ｂおよび第２板１１２ｂを火床１００の内側に各々谷折りさせ、且つ側板１１０ａの間で折り畳まれた第１板１１１ｂおよび第２板１１２ｂを挟持させることにより、火床１００が平板状に折り畳まれる。
【００１８】
２）火床１００は、上下逆の中空の多角錘台状であって、４以上の偶数の上下逆の台形状の側板１１０および４以上のヒンジ部１２１を有している。または、火床１００は、筒状であって、４以上の偶数の側板１１０および４以上のヒンジ部１２１を有している。何れの場合も、側板１１０は展開状態で環状に配置されており、側板１１０のうちの隣り合う側板１１０の側辺同士がヒンジ部１２１によって各々回動自在に連結されている。火床１００は、４つの偶数の側板１１０を備えている場合、展開状態の火床１００の側板１１０のうちの二組の隣り合う側板１１０を互いに面接触させることによって、火床１００が平板状に折り畳まれる。火床１００は、６以上の偶数の側板１１０を備えている場合、展開状態の火床１００の二組の隣り合う側板１１０を互いに面接触させると共に、二組の隣り合う側板１１０の間の側板１１０を二つずつ互いに面接触させることによって、火床１００が平板状に折り畳まれる。
【００１９】
３）火床１００は、４以上の偶数の三角形の側板１１０および４以上のヒンジ部１２１を有している。側板１１０は展開状態で環状（すなわち、上下逆の中空の多角錘状）に配置されており、側板１１０のうちの隣り合う側板１１０の側辺同士がヒンジ部１２１によって各々回動自在に連結されている。この場合の火床１００は、上記２）と同様に、展開状態から平板状に折り畳むことができる。
【００２０】
４）火床１００は、４以上の側板１１０を有している。側板１１０は組立状態で多角環状に配置されており、側板１１０のうちの隣り合う側板１１０の側辺同士が着脱自在に連結されている。例えば、隣り合う側板１１０の一方の側辺に少なくとも一つの係合突部が設けられており、他方の側板１１０の側辺に少なくとも一つの係合孔が設けられている。火床１００の側板１１０は、係合突部を係合孔に係合させることによって組み立てられ、係合突部を係合孔から抜くことによって分解される。
【００２１】
上記した側板１１０のうち、一つの側板１１０および別の一つの側板１１０は、互いに対向している。以下、説明の便宜上、この対向する二つの側板１１０を第１組の側板１１０と称する。一つの側板１１０（図１および図２では、一つの側板１１０ａ）が一対の第１支持部Ｓ１を有し、別の一つの側板１１０（図１および図２では、もう一つの側板１１０ａ）が一対の第２支持部Ｓ２を有している。一対の第１支持部Ｓ１は、一つの側板１１０の上縁自体、一つの側板１１０の上縁に設けられており且つ上方向（Ｚ方向）に開口したスリット（図１参照）、一つの側板１１０に設けられた貫通孔（図２参照）、または一つの側板１１０の上縁から上方向（Ｚ方向）にのびた一対の突部などであり、一対の第２支持部Ｓ２は、別の一つの側板１１０の上縁自体、別の一つの側板１１０の上縁に設けられており且つ上方向（Ｚ方向）に開口したスリット（図１参照）、別の一つの側板１１０に設けられた貫通孔（図２参照）、または別の一つの側板１１０の上縁から上方向（Ｚ方向）にのびた一対の突部などである。一対の第１支持部Ｓ１は一つの側板１１０の長手方向（第１方向（図１および図２では、Ｘ−Ｘ’方向））に間隔をあけて配置されており、一対の第２支持部Ｓ２は、別の一つの側板１１０の長手方向（第１方向（図１および図２では、Ｘ−Ｘ’方向））に間隔をあけて配置されている。一対の第１支持部Ｓ１のうちの一方と一対の第２支持部Ｓ２のうちの一方とが互いに対向し、一対の第１支持部Ｓ１のうちの他方と一対の第２支持部Ｓ２のうちの他方とが互いに対向している。一対の第１支持部Ｓ１および一対の第２支持部Ｓ２は、ほぼ同じ高さに位置していると良いが、若干相違していても良い。
【００２２】
上記した側板１１０のうち、第１組の側板１１０以外の一つの側板１１０および別の一つの側板１１０は、互いに対向している。以下、説明の便宜上、この対向する二つの側板１１０を第２組の側板１１０と称する。第２組の側板１１０の一つの側板１１０（図１および図２では、一つの側板１１０ｂ）は一対の第３支持部Ｓ３を有し、別の一つの側板１１０（図１および図２では、もう一つの側板１１０ｂ）が一対の第４支持部Ｓ４を有している。一対の第３支持部Ｓ３は、一つの側板１１０の上縁自体、一つの側板１１０の上縁に設けられており且つ上方向（Ｚ方向）に開口したスリット（図１参照）、一つの側板１１０に設けられた貫通孔（図２参照）、または一つの側板１１０の上縁から上方向（Ｚ方向）にのびた一対の突部などであり、一対の第４支持部Ｓ４は、別の一つの側板１１０の上縁自体、別の一つの側板１１０の上縁に設けられており且つ上方向（Ｚ方向）に開口したスリット（図１参照）、別の一つの側板１１０に設けられた貫通孔（図２参照）、または別の一つの側板１１０の上縁から上方向（Ｚ方向）にのびた一対の突部などである。
一対の第３支持部Ｓ３は一つの側板１１０の長手方向（第２方向（図１および図２では、Ｙ−Ｙ’方向））に間隔をあけて配置されており、一対の第４支持部Ｓ４は、別の一つの側板１１０の長手方向（第２方向（図１および図２では、Ｙ−Ｙ’方向））に間隔をあけて配置されている。一対の第３支持部Ｓ３のうちの一方と一対の第４支持部Ｓ４のうちの一方とが互いに対向し、一対の第３支持部Ｓ３のうちの他方と一対の第４支持部Ｓ４のうちの他方とが互いに対向している。一対の第３支持部Ｓ３および一対の第４支持部Ｓ４は、ほぼ同じ高さに位置していると良いが、若干相違していても良い。
【００２３】
屋外用燃焼装置Ｂ１は、燃料載置部５００をさらに備えている。燃料載置部５００は、図１および２に示されるロストル（火格子）または耐熱板であって、火床１００内の下部に配置されており且つ炭や薪などの固形燃料が載置可能である。燃料載置部５００は複数の孔を有している。燃料載置部５００がロストルである場合、ロストルの格子間の隙間が孔となる。燃料載置部５００が耐熱板である場合、耐熱板を貫通する複数の孔が設けられている。燃料載置部５００は、火床１００の側板１１０の下部に当接し支持される構成、または、火床１００の側板１１０の下部に設けられた係合部に係合され支持される構成とすることが可能である。
【００２４】
屋外用燃焼装置Ｂ１は五徳をさらに備えている。五徳は、一対の第１懸架部材２００および一対の第２懸架部材４００を有している。
一対の第１懸架部材２００の各々は、第１支持部Ｓ１および第２支持部Ｓ２間の距離よりも大きい長さ寸法を有する直線状の金属棒（図１および図２参照）や金属板などである。一対の第１懸架部材２００の長手方向の両端部のうちの少なくとも一方がＺ−Ｚ’方向に折り曲げられていても良いし、一対の第１懸架部材２００の長手方向の両端部のうちの少なくとも一方が接続されていても良い。一対の第１懸架部材２００は、一対の第１支持部Ｓ１および一対の第２支持部Ｓ２によって着脱自在に支持され、第１組の側板１１０に懸架されている。この懸架状態で、一対の第１懸架部材２００は、一対の第１支持部Ｓ１と同様の間隔をあけて配置されている。より具体的には、一対の第１懸架部材２００の各々は、下記１）〜４）の何れかのとおりに第１組の側板１１０に懸架されている。
１）第１支持部Ｓ１および第２支持部Ｓ２が第１組の側板１１０の上縁である場合、第１懸架部材２００の第１、第２部が上縁上に各々載置されている。この場合、第１懸架部材２００が上方に持ち上げられることによって、第１懸架部材２００の第１、第２部の上縁に対する載置が解除される。
２）第１支持部Ｓ１および第２支持部Ｓ２が第１組の側板１１０のスリットである場合（図１参照）、第１懸架部材２００の第１、第２部がスリット内に上方から各々挿入支持されている。この場合、第１懸架部材２００が上方に持ち上げられることによって、第１懸架部材２００の第１、第２部がスリットから各々脱する。
３）第１支持部Ｓ１および第２支持部Ｓ２が第１組の側板１１０の貫通孔である場合（図２参照）、第１懸架部材２００が貫通孔内に略水平方向から各々挿入され、第１懸架部材２００の第１、第２部が貫通孔に各々支持されている。この場合、第１懸架部材２００が挿入時と逆方向に引っ張られることによって、第１懸架部材２００が貫通孔から各々脱する。なお、第１懸架部材２００が上記のとおり折り曲げられている場合や第１懸架部材２００が後記するように凹部２１０を有している場合、貫通孔は、第１懸架部材２００のＺ−Ｚ’方向の寸法よりも大きい長孔（例えば、角長孔や丸長孔）とすると良い。
４）第１支持部Ｓ１および第２支持部Ｓ２が第１組の側板１１０の一対の突部である場合、第１懸架部材２００の第１、第２部が突部間に上方から各々挿入支持されている。この場合、第１懸架部材２００が上方に持ち上げられることによって、第１懸架部材２００の第１、第２部が突部間から各々脱する。
【００２５】
一対の第２懸架部材４００の各々は、第３支持部Ｓ３および第４支持部Ｓ４間の距離よりも大きい長さ寸法を有する直線状の金属棒（図１および図２参照）や金属板などである。一対の第２懸架部材４００の長手方向の両端部のうちの少なくとも一方がＺ−Ｚ’方向に折り曲げられていても良いし、一対の第２懸架部材４００の長手方向の両端部のうちの少なくとも一方が接続されていても良い。一対の第２懸架部材４００は、一対の第３支持部Ｓ３および一対の第４支持部Ｓ４によって着脱自在に支持され、第２組の側板１１０に懸架されている。この懸架状態で、一対の第２懸架部材４００は、一対の第３支持部Ｓ３と同様の間隔をあけて配置されている。より具体的には、一対の第２懸架部材４００の各々は、下記１）〜４）の何れかのとおりに第２組の側板１１０に懸架されている。
１）第３支持部Ｓ３および第４支持部Ｓ４が第２組の側板１１０の上縁である場合、第２懸架部材４００の第１、第２部が上縁上に各々載置されている。この場合、第２懸架部材４００が上方に持ち上げられることによって、第２懸架部材４００の第１、第２部の上縁に対する載置が解除される。
２）第３支持部Ｓ３および第４支持部Ｓ４が第２組の側板１１０のスリットである場合（図１参照）、第２懸架部材４００の第１、第２部がスリット内に上方から各々挿入支持されている。この場合、第２懸架部材４００が上方に持ち上げられることによって、第２懸架部材４００の第１、第２部がスリットから各々脱する。
３）第３支持部Ｓ３および第４支持部Ｓ４が第２組の側板１１０の貫通孔である場合（図２参照）、第２懸架部材４００が貫通孔内に略水平方向から各々挿入され、第２懸架部材４００の第１、第２部が貫通孔に各々支持されている。この場合、第２懸架部材４００が挿入時と逆方向に引っ張られることによって、第２懸架部材４００が貫通孔から各々脱する。なお、第２懸架部材４００が上記のとおり折り曲げられている場合、貫通孔は、第２懸架部材４００のＺ−Ｚ’方向の寸法よりも大きい長孔（例えば、角長孔や丸長孔）とすると良い。
４）第３支持部Ｓ３および第４支持部Ｓ４が第２組の側板１１０の一対の突部である場合、第２懸架部材４００の第１、第２部が突部間に上方から各々挿入支持されている。この場合、第２懸架部材４００が上方に持ち上げられることによって、第２懸架部材４００の第１、第２部が突部間から各々脱する。
【００２６】
上記のとおり、一対の第１懸架部材２００が一対の第１支持部Ｓ１および一対の第２支持部Ｓ２に支持され、且つ一対の第２懸架部材４００が一対の第３支持部Ｓ３および一対の第４支持部Ｓ４に支持された状態で、一対の第１懸架部材２００および一対の第２懸架部材４００は、平面視において井桁状に交差している。一対の第１懸架部材２００と一対の第２懸架部材４００との四つの交差部、一対の第１懸架部材２００の交差部間の部分および一対の第２懸架部材４００の交差部間の部分が四角環状の燃料支持部Ｘを構成している。燃料支持部Ｘは、火床１００の燃焼空間内（火床１００内）に配置される。燃料支持部Ｘ内に炭や薪などの固形燃料（図示せず）が配置可能であり、当該固形燃料を燃料支持部Ｘおよび燃料載置部５００に立てかけて支持させることが可能である。
【００２７】
第１懸架部材２００および第２懸架部材４００の上端がＺ−Ｚ’方向におけるほぼ同じ高さ位置に位置する構成とすることが可能である（図１参照）。この場合、第１懸架部材２００の第２懸架部材４００と交差する部分には、上方向（Ｚ方向）に開口した凹部２１０が設けられた構成とすることが可能である。第２懸架部材４００は、凹部２１０に挿入され、第１懸架部材２００および第２懸架部材４００の上端のＺ−Ｚ’方向における高さ位置がほぼ同じになるように第３支持部Ｓ３および第４支持部Ｓ４に支持されている。第１支持部Ｓ１、第２支持部Ｓ２、第３支持部Ｓ３および第４支持部Ｓ４はほぼ同じ高さ位置に位置していると良いが、これに限定されるものではない。第１支持部Ｓ１および第２支持部Ｓ２の高さ位置と、第３支持部Ｓ３および第４支持部Ｓ４の高さ位置とが相違していても良い。相違する場合、第２懸架部材４００が第１懸架部材２００の凹部２１０に挿入されるように、第１懸架部材２００および第２懸架部材４００の少なくとも一方を略Ω字状とすると良い。
【００２８】
屋外用燃焼装置Ｂ１は脚部６００をさらに備えている。脚部６００は、火床１００を中空支持している。例えば、脚部６００は下記１）または２）構成とすることが可能である。
１）脚部６００は、中空の多角錘台状（図１および図２では、中空の四角錘台状）をなしており、上下逆の中空の多角錘台状の火床１００を入れ子状に支持する構成となっている。
２）脚部６００は、火床１００の側板１１０から下方に延びた３以上の脚を有する構成とすることが可能である。
【００２９】
屋外用燃焼装置Ｂ１は、灰受け７００または図示しない底板をさらに備えた構成とすることが可能である。灰受け７００は、一対のフックによって脚部６００に吊り下げ支持され、火床１００下に配置されている。灰受け７００が火床１００内から落下する固形燃料の灰などを受ける。底板は、火床１００内の燃料載置部５００よりも下側（Ｚ’方向側）に配置されており且つ火床１００内から落下する固形燃料の灰を受ける。
【００３０】
以上のような屋外用燃焼装置Ｂ１による場合、固形燃料が燃料支持部Ｘおよび燃料載置部５００に立てかけて支持されるので、固形燃料の燃焼により生じる上昇気流によって固形燃料が燃焼し易くなり、その結果、固形燃料の燃焼効率が向上する。しかも、燃料支持部Ｘは五徳の一部を利用しているため、燃焼支持部Ｘを備えていても屋外用燃焼装置Ｂ１の部品点数の増加を抑制することができる。勿論、五徳上に鍋ややかんなどの調理容器を載置して調理することも可能である。
【実施例２】
【００３１】
以下、本発明の実施例２およびその設計変形例を含む複数の実施例に係る屋外用燃焼装置Ｂ２ついて図３および図４を参照しつつ説明する。図３には、実施例２の屋外用燃焼装置Ｂ２が示されており、図４には、実施例２の屋外用燃焼装置Ｂ２の第１設計変形例が示されている。なお、図３および図４に示すＺ−Ｚ’方向は屋外用燃焼装置Ｂ２の高さ方向であり、Ｘ−Ｘ’方向はＺ−Ｚ’方向に直交する方向であり、Ｙ−Ｙ’方向はＺ−Ｚ’方向およびＸ−Ｘ’方向に直交する方向である。
【００３２】
屋外用燃焼装置Ｂ２は、下記相違点で屋外用燃焼装置Ｂ１と相違する以外、屋外用燃焼装置Ｂ１と同じ構成である。相違点１）五徳の第１懸架部材２００の各々が側板１１０のうちの隣り合う側板１１０（以下、第１の隣り合う側板１１０とも称する。）に懸架されている。第１の隣り合う側板１１０が二組ある。相違点２）五徳の第２懸架部材４００の各々が第１懸架部材２００に交差するように側板１１０のうちの隣り合う側板１１０（以下、第２の隣り合う側板１１０とも称する。）に懸架されている。第２の隣り合う側板１１０も二組ある。以下、屋外用燃焼装置Ｂ２については、これらの相違点についてのみ詳しく説明し、屋外用燃焼装置Ｂ１の説明と重複する説明については省略する。
【００３３】
一対の第１支持部Ｓ１’の各々が第１の隣り合う側板１１０のうちの一方の側板１１０に設けられており、一対の第２支持部Ｓ２’の各々が第１の隣り合う側板１１０のうちの他方の側板１１０に設けられている。第１支持部Ｓ１’および第２支持部Ｓ２’は、以下の点を除き、屋外用燃焼装置Ｂ１の第１支持部Ｓ１および第２支持部Ｓ２と同じ構成である。各第１支持部Ｓ１’は、一方の側板１１０の上縁、一方の側板１１０の上縁に設けられており且つ上方に開口したスリット、一方の側板１１０に設けられた貫通孔、または一方の側板１１０の上縁から上方向にのびた一対の突部などであり、各第２支持部Ｓ２’は、他方の側板１１０の上縁、他方の側板１１０の上縁に設けられており且つ上方に開口したスリット、他方の側板１１０に設けられた貫通孔、または他方の側板１１０の上縁から上方向にのびた一対の突部などである。
【００３４】
一対の第１支持部Ｓ１’は、一方の第１支持部Ｓ１’および他方の第１支持部Ｓ１’を含む。一対の第２支持部Ｓ２’一方の第２支持部Ｓ２’および他方の第２支持部Ｓ２’を含む。一対の第１懸架部材２００は、一方の第１懸架部材２００および他方の第１懸架部材２００を含む。
一方の第１支持部Ｓ１’および第２支持部Ｓ２’に一方の第１懸架部材２００が支持され、二組のうちの第１組の第１の隣り合う側板１１０に懸架されており、他方の第１支持部Ｓ１’および第２支持部Ｓ２’に他方の第１懸架部材２００が支持され、第２組の第１の隣り合う側板１１０に懸架されている。
なお、上記のとおり、第１懸架部材２００が折り曲げられている場合や第１懸架部材２００が凹部２１０を有している場合、貫通孔は、第１懸架部材２００のＺ−Ｚ’方向の寸法よりも大きい長孔（例えば、角長孔や丸長孔）とすると良い。
【００３５】
一対の第３支持部Ｓ３’の各々が第２の隣り合う側板１１０のうちの一方の側板１１０に設けられており、一対の第４支持部Ｓ４’の各々が第２の隣り合う側板１１０のうちの他方の側板１１０に設けられている。第３支持部Ｓ３’および第４支持部Ｓ４’は、以下の点を除き、屋外用燃焼装置Ｂ１の第３支持部Ｓ３および第４支持部Ｓ４と同じ構成である。各第３支持部Ｓ３’は、一方の側板１１０の上縁、一方の側板１１０の上縁に設けられており且つ上方に開口したスリット、一方の側板１１０に設けられた貫通孔、または一方の側板１１０の上縁から上方向にのびた一対の突部などであり、各第４支持部Ｓ４’は、他方の側板１１０の上縁、他方の側板１１０の上縁に設けられており且つ上方に開口したスリット、他方の側板１１０に設けられた貫通孔、または他方の側板１１０の上縁から上方向にのびた一対の突部などである。
【００３６】
一対の第３支持部Ｓ３’は、一方の第３支持部Ｓ３’および他方の第３支持部Ｓ３’を含む。一対の第４支持部Ｓ４’一方の第４支持部Ｓ４’および他方の第４支持部Ｓ４’を含む。一対の第２懸架部材４００は、一方の第２懸架部材４００および他方の第２懸架部材４００を含む。
一方の第３支持部Ｓ３’および第４支持部Ｓ４’に一方の第２懸架部材４００が一対の第１懸架部材２００に交差するように支持され、二組のうちの第１組の第２の隣り合う側板１１０に懸架されており、他方の第３支持部Ｓ３’および第４支持部Ｓ４’に他方の第２懸架部材４００が一対の第１懸架部材２００に交差するように支持され、第２組の第２の隣り合う側板１１０に懸架されている。
なお、第２懸架部材４００が上記のとおり折り曲げられている場合、貫通孔は、第２懸架部材４００のＺ−Ｚ’方向の寸法よりも大きい長孔（例えば、角長孔や丸長孔）とすると良い。
【００３７】
上記のとおり、一対の第１懸架部材２００が一対の第１支持部Ｓ１および一対の第２支持部Ｓ２に支持され、且つ一対の第２懸架部材４００が一対の第３支持部Ｓ３および一対の第４支持部Ｓ４に支持された状態で、一対の第１懸架部材２００および一対の第２懸架部材４００は、平面視において井桁状に交差している。一対の第１懸架部材２００と一対の第２懸架部材４００との四つの交差部、一対の第１懸架部材２００の交差部間の部分および一対の第２懸架部材４００の交差部間の部分が四角環状の燃料支持部Ｘを構成している。燃料支持部Ｘは、火床１００の燃焼空間内（火床１００内）または火床１００の燃焼空間の上側に配置される。燃料支持部Ｘ内に炭や薪などの固形燃料（図示せず）が配置可能であり、当該固形燃料を燃料支持部Ｘおよび燃料載置部５００に立てかけて支持させることが可能である。
【００３８】
屋外用燃焼装置Ｂ２は、屋外用燃焼装置Ｂ１と同様の技術的特徴および効果を奏する。
【実施例３】
【００３９】
以下、本発明の実施例３を含む複数の実施例に係る屋外用燃焼装置Ｂ３ついて図５を参照しつつ説明する。屋外用燃焼装置Ｂ３は、バーベキューグリルである。図５には、実施例３の屋外用燃焼装置Ｂ３が示されている。なお、図５に示すＺ−Ｚ’方向は屋外用燃焼装置Ｂ２の高さ方向であり、Ｘ−Ｘ’方向はＺ−Ｚ’方向に直交する方向であり、Ｙ−Ｙ’方向はＺ−Ｚ’方向およびＸ−Ｘ’方向に直交する方向である。
【００４０】
屋外用燃焼装置Ｂ３は、下記相違点で屋外用燃焼装置Ｂ１と相違する以外、屋外用燃焼装置Ｂ１と同じ構成である。相違点１）脚部６００’の構成が脚部６００の構成と相違している。相違点２）屋外用燃焼装置Ｂ３は少なくとも一つの連結部８００をさらに備えている。相違点３）火床１００’が、脚部６００’および連結部８００の少なくとも一方に支持されている。相違点４）脚部６００’、連結部８００および火床１００’のうちの一つが、一対の第１支持部Ｓ１’’および第２支持部Ｓ２’’を有し、脚部６００’、連結部８００および火床１００’のうちの一つが、一対の第３支持部Ｓ３’’および第４支持部Ｓ４’’を有している。なお、脚部６００’、連結部８００および火床１００’のうちの一つが、一対の第１支持部Ｓ１’’および第２支持部Ｓ２’’を有し、残りの一つが、一対の第３支持部Ｓ３’’および第４支持部Ｓ４’’を有する構成とすることが可能である。以下、屋外用燃焼装置Ｂ３については、これらの相違点についてのみ詳しく説明し、屋外用燃焼装置Ｂ１の説明と重複する説明については省略する。
【００４１】
脚部６００’は、例えば、下記１）または２）の構成とすることが可能である。
１）脚部６００’は、互いに対向配置される一対の脚６１０’を有している。脚６１０’は、例えば、下向き略Ｕ字状（図５参照）、Ｈ字状またはＸ字状などの耐熱性を有するパイプ、棒または板などとすることができるが、これに限定されるものではない。脚部６００’は、一対の支持部材６２０’をさらに有する構成とすることが可能である。支持部材６２０’は、脚６１０’に各々取り付けられた取り付け部と、取り付け部から内側に延びた支持部本体とを有する構成とすることが可能である。
２）脚部６００’は、Ｚ−Ｚ’方向に延びた棒またはポールである３以上の脚６１０’を有している。この脚６１０’は環状に配置されている。
【００４２】
脚部６００’が上記１）の構成である場合、連結部８００は一つまたは複数とすることが可能である。前者の場合、連結部８００は、耐熱性を有する平面視略Ｏ字状のパイプや棒、筒または上側開放の箱であって、脚部６００’の脚６１０’間を連結している。後者の場合、連結部８００は、側面視略Ｏ字状、側面視略Ｕ字状、直線状またはその他の形状の耐熱性を有するパイプ、棒または板であって、そのうちの一または複数の連結部８００が脚部６００’の脚６１０’の両端のうちの一方の端間を連結し、残りの一または複数の連結部８００が脚６１０’の他方の端間を連結している。なお、図５では、連結部８００は、二つであって、そのうちの一方が脚６１０’のＸ方向の端間を連結し、他方が脚６１０’のＸ’方向の端間を連結している。
【００４３】
脚部６００’が上記２）の構成である場合、連結部８００は一つまたは複数とすることが可能である。前者の場合、連結部８００は、耐熱性を有する平面視略Ｏ字状のパイプや棒、筒または上側開放の箱であって、脚部６００’の脚６１０’間を連結している。後者の場合、連結部８００は、側面視略Ｏ字状、側面視略Ｕ字状、直線状またはその他の形状の耐熱性を有するパイプ、棒または板であって、一または複数の連結部８００が脚部６００’の脚６１０’間を各々連結している。なお、上記した何れかの態様の連結部８００は、火床１００’を収容するフレームを兼ねていても良い。
【００４４】
火床１００’は、上部開放の箱型であって、複数の側板１１０’および底板１２０’を有している。また、火床１００’の内部には燃焼空間が設けられている。底板１２０’は多角形状の板であって、複数の辺を有している。側板１１０’は底板１２０’の辺からＺ方向に各々延び且つ多角環状に配置された板である。側板１１０’の隣り合う側辺同士が接続されている。側板１１０’のうち、対向する二つの側板１１０’が屋外用燃焼装置Ｂ１の第１組の側板１１０に相当し、別の対向する二つの側板１１０’が屋外用燃焼装置Ｂ１の第２組の側板１１０に相当する。側板１１０’のうち、隣り合う側板１１０’が屋外用燃焼装置Ｂ２の第１の隣り合う側板１１０に相当し、隣り合う側板１１０’が屋外用燃焼装置Ｂ２の第２の隣り合う側板１１０に相当する。
【００４５】
火床１００’は、複数の被支持部１３０’および複数の吊り下げ支持部１４０’の少なくとも一方をさらに備えた構成とすることが可能である。被支持部１３０’は、側板１１０’から各々外側に延びている。吊り下げ支持部１４０’は、側板１１０’に各々設けられたフック（図５参照）や鎖などである。なお、図５では、吊り下げ支持部１４０’は一つのみ図示されている。
【００４６】
火床１００’は、脚部６００’および連結部８００の内側に配置され且つ脚部６００’または連結部８００に支持されている。例えば、火床１００’は、下記１）〜６）の何れかのとおりに、脚部６００’または連結部８００に支持されている。ただし、下記１）、２）、４）および５）は、脚部６００’が上記１）の構成である場合に限定される。
１）火床１００’は、図５に示すように、被支持部１３０’が脚部６００’の支持部材６２０’の支持部本体上に載置され、支持されている。
２）火床１００’は、被支持部１３０’が脚部６００’の脚６１０’の水平部上に載置され、支持されている。
３）火床１００’は、被支持部１３０’が連結部８００上に載置され、支持されている。
４）火床１００’は、吊り下げ支持部１４０’が脚部６００’の支持部材６２０’に引っ掛けられ、支持されている。
５）火床１００’は、吊り下げ支持部１４０’が脚部６００’の脚６１０’の水平部に引っ掛けられ、支持されている。
６）火床１００’は、吊り下げ支持部１４０’が連結部８００に引っ掛けられ、支持されている。
なお、火床１００’は上記１）〜３）のうちの任意の一つと上記４）〜６）のうちの任意の一つとを組み合わせて、脚部６００’および連結部８００の双方に支持された構成とすることが可能である。火床１００’が支持部材６２０’以外に支持される場合には、支持部材６２０’は省略可能である。
【００４７】
燃料載置部５００は、図５に示すように火床１００’の底板１２０’上に載置された構成とすることが可能である。または、火床１００’の側板１１０’の下部に設けられた係合部に係合され支持される構成とすることが可能である。
【００４８】
一対の第１支持部Ｓ１’’および第２支持部Ｓ２’’の各々は、以下の１）〜６）の何れかの構成とすることが可能である。
１）第１支持部Ｓ１’’および第２支持部Ｓ２’’が、火床１００’に設けられている場合、第１支持部Ｓ１’’、第２支持部Ｓ２’’は、それぞれ上記第１支持部Ｓ１、上記第２支持部Ｓ２、または上記第１支持部Ｓ１’、上記第２支持部Ｓ２’と同様の構成とすることが可能である。
【００４９】
２）火床１００’が一対の被支持部１３０’を有している場合、第１支持部Ｓ１’’は、被支持部１３０’のうちの一つの被支持部１３０’の上縁、一つの被支持部１３０’の上縁に設けられており且つ上方に開口した凹部、または一つの被支持部１３０’の上縁から上方向にのびた一対の突部などであり、第２支持部Ｓ２’’は、別の一つの被支持部１３０’の上縁、別の一つの被支持部１３０’の上縁に設けられており且つ上方に開口した凹部、または別の一つの被支持部１３０’の上縁から上方向にのびた一対の突部などである。なお、一対の第１支持部Ｓ１’’および一対の第２支持部Ｓ’’は、被支持部１３０’の長手方向（第１方向）に間隔をあけて配置されている。一対の第１支持部Ｓ１’’と一対の第２支持部Ｓ’’とは、互いに対向している。
【００５０】
３）第１支持部Ｓ１’’および第２支持部Ｓ２’’が、上記１）の構成の脚部６００’の一対の脚６１０’の水平部に設けられている場合、第１支持部Ｓ１’’は、脚６１０’のうちの一つの脚６１０’の水平部の上縁（図５参照）、一つの脚６１０’の水平部に設けられており且つ上方に開口した凹部またはスリット、一つの脚６１０’の水平部に設けられた貫通孔、または一つの脚６１０’の水平部から上方向にのびた一対の突部などであり、第２支持部Ｓ２’’は、別の一つの脚６１０’の水平部の上縁（図５参照）、別の一つの脚６１０’の水平部に設けられており且つ上方に開口した凹部またはスリット、別の一つの脚６１０’の水平部に設けられた貫通孔、または別の一つの脚６１０’の水平部から上方向にのびた一対の突部などである。なお、一対の第１支持部Ｓ１’’および一対の第２支持部Ｓ’’は、水平部の長手方向（第１方向）に間隔をあけて配置されている。一対の第１支持部Ｓ１’’と一対の第２支持部Ｓ’’とは、互いに対向している。
【００５１】
４）第１支持部Ｓ１’’および第２支持部Ｓ２’’が、上記１）の構成の脚部６００’の一対の脚６１０’に取り付けられた支持部材６２０’に設けられている場合、第１支持部Ｓ１’’は、一つの脚６１０’の支持部材６２０’の上縁、一つの脚６１０’の支持部材６２０’の上縁に設けられており且つ上方に開口した凹部またはスリット、一つの脚６１０’の支持部材６２０’に設けられた貫通孔、または一つの脚６１０’の支持部材６２０’の上縁から上方向にのびた一対の突部などであり、第２支持部Ｓ２’’は、別の一つの脚６１０’の支持部材６２０’の上縁、別の一つの脚６１０’の支持部材６２０’の上縁に設けられており且つ上方に開口した凹部またはスリット、別の一つの脚６１０’の支持部材６２０’に設けられた貫通孔、または別の一つの脚６１０’の支持部材６２０’の上縁から上方向にのびた一対の突部などである。なお、一対の第１支持部Ｓ１’’および一対の第２支持部Ｓ’’は、支持部材６２０’の長手方向（第１方向）に間隔をあけて配置されている。一対の第１支持部Ｓ１’’と一対の第２支持部Ｓ’’とは、互いに対向している。
【００５２】
５）第１支持部Ｓ１’’および第２支持部Ｓ２’’が、連結部８００に設けられている場合、第１支持部Ｓ１’’は、連結部８００のうちの一つの連結部８００の上縁、一つの連結部８００の上縁に設けられており且つ上方に開口した凹部またはスリット、一つの連結部８００に設けられた貫通孔、または一つの連結部８００の上縁から上方向にのびた一対の突部などであり、第２支持部Ｓ２’’は、別の一つの連結部８００の上縁、別の一つの連結部８００の上縁に設けられており且つ上方に開口した凹部またはスリット、別の一つの連結部８００に設けられた貫通孔、または別の一つの連結部８００の上縁から上方向にのびた一対の突部などである。なお、一対の第１支持部Ｓ１’’および一対の第２支持部Ｓ’’は、連結部８００の長手方向（第１方向）に間隔をあけて配置されている。一対の第１支持部Ｓ１’’と一対の第２支持部Ｓ’’とは、互いに対向している。
【００５３】
２）〜５）の場合、第１支持部Ｓ１’’、第２支持部Ｓ２’’は、火床１００’よりも上側に位置していると良い。なお、上記のとおり、第１懸架部材２００が折り曲げられている場合や第１懸架部材２００が凹部２１０を有している場合、第１支持部Ｓ１’’、第２支持部Ｓ２’’である貫通孔は、第１懸架部材２００のＺ−Ｚ’方向の寸法よりも大きい長孔（例えば、角長孔や丸長孔）とすると良い。
【００５４】
一対の第１懸架部材２００の各々は、上記した何れかの態様の第１支持部Ｓ１’’および第２支持部Ｓ２’’に着脱自在に支持され、火床１００’の側板１１０’間、脚６１０’の水平部間、支持部材６２０’間または連結部８００間に懸架されている。より具体的には、一対の第１懸架部材２００の各々は、下記１）〜４）の何れかのとおりに懸架されている。
１）第１支持部Ｓ１’’および第２支持部Ｓ２’’が上縁である場合、第１懸架部材２００の第１、第２部が上縁上に各々載置されている。この場合、第１懸架部材２００が上方に持ち上げられることによって、第１懸架部材２００の第１、第２部の上縁に対する載置が解除される。
２）第１支持部Ｓ１’’および第２支持部Ｓ２’’が凹部またはスリットである場合、第１懸架部材２００の第１、第２部が凹部またはスリット内に上方から各々挿入支持されている。この場合、第１懸架部材２００が上方に持ち上げられることによって、第１懸架部材２００の第１、第２部が凹部またはスリットから各々脱する。
３）第１支持部Ｓ１’’および第２支持部Ｓ２’’が貫通孔である場合、第１懸架部材２００が貫通孔内に略水平方向から各々挿入され、第１懸架部材２００の第１、第２部が貫通孔に各々支持されている。この場合、第１懸架部材２００が挿入時と逆方向に引っ張られることによって、第１懸架部材２００が貫通孔から各々脱する。
４）第１支持部Ｓ１’’および第２支持部Ｓ２’’が一対の突部である場合、第１懸架部材２００の第１、第２部が突部間に上方から各々挿入支持されている。この場合、第１懸架部材２００が上方に持ち上げられることによって、第１懸架部材２００の第１、第２部が突部間から各々脱する。
【００５５】
一対の第３支持部Ｓ３’’および第４支持部Ｓ４’’が、火床１００’に設けられている場合、第３支持部Ｓ３’’、第４支持部Ｓ４’’は、それぞれ上記第３支持部Ｓ３、第４支持部Ｓ４、または上記第３支持部Ｓ３’、第４支持部Ｓ４’と同様の構成とすることが可能である。一対の第３支持部Ｓ３’’および第４支持部Ｓ４’’が、被支持部１３０’、脚６１０’の水平部、支持部材６２０’または連結部８００に設けられている場合、第３支持部Ｓ３’’、第４支持部Ｓ４’’は、一対の第２懸架部材４００が一対の第１懸架部材２００に交差するように第２懸架部材４００を着脱自在に支持する以外、第１支持部Ｓ１’’、第２支持部Ｓ２’’の２）〜５）の何れかと同様の構成とすることが可能である。なお、図５では、第３支持部Ｓ３’’および第４支持部Ｓ４’’は、連結部８００の上縁である。
何れの場合も、一対の第３支持部Ｓ３’’および一対の第４支持部Ｓ４’’は、一対の第１支持部Ｓ１’’および第２支持部Ｓ２’’の配列方向（上記第１方向）に交差する方向（第２方向）に間隔をあけて配置されている。一対の第３支持部Ｓ３’’と一対の第４支持部Ｓ４’’とは、互いに対向している。
【００５６】
上記のとおり、一対の第１懸架部材２００が一対の第１支持部Ｓ１’’および一対の第２支持部Ｓ２’’に支持され、且つ一対の第２懸架部材４００が一対の第３支持部Ｓ３’’および一対の第４支持部Ｓ４’’に支持された状態で、一対の第１懸架部材２００および一対の第２懸架部材４００は、平面視において井桁状に交差している。一対の第１懸架部材２００と一対の第２懸架部材４００との四つの交差部、一対の第１懸架部材２００の交差部間の部分および一対の第２懸架部材４００の交差部間の部分が四角環状の燃料支持部Ｘを構成している。燃料支持部Ｘは、上記した第１〜第４支持部Ｓ１’’〜Ｓ４’’が火床１００’に設けられている場合、火床１００’の燃焼空間内（火床１００’内）または火床１００’の燃焼空間の上側に配置され、上記した第１〜第４支持部Ｓ１’’〜Ｓ４’’が火床１００’よりも上側に設けられている場合、火床１００’の燃焼空間の上側に配置されている。燃料支持部Ｘ内に炭や薪などの固形燃料（図示せず）が配置可能であり、当該固形燃料を燃料支持部Ｘおよび燃料載置部５００に立てかけて支持させることが可能である。
【００５７】
第１懸架部材２００が凹部２１０を有する場合、第１支持部Ｓ１’’、第２支持部Ｓ２’’、第３支持部Ｓ３’’および第４支持部Ｓ４’’はほぼ同じ高さ位置に位置していても良いし、第１支持部Ｓ１’’および第２支持部Ｓ２’’と、第３支持部Ｓ３’’および第４支持部Ｓ４’’とが相違していても良い。相違する場合、第２懸架部材４００が第１懸架部材２００の凹部２１０に挿入されるように、第１懸架部材２００および第２懸架部材４００の少なくとも一方を略Ω字状とすると良い。
【００５８】
屋外用燃焼装置Ｂ３は、屋外用燃焼装置Ｂ１技術的特徴および効果と同様の技術的特徴および効果を奏する。
【実施例４】
【００５９】
以下、本発明の実施例４を含む複数の実施例に係る屋外用燃焼装置Ｂ４ついて図６を参照しつつ説明する。屋外用燃焼装置Ｂ４は、バーベキューグリルである。図６には、実施例４の屋外用燃焼装置Ｂ４が示されている。なお、図６に示すＺ−Ｚ’方向は屋外用燃焼装置Ｂ２の高さ方向であり、Ｘ−Ｘ’方向はＺ−Ｚ’方向に直交する方向であり、Ｙ−Ｙ’方向はＺ−Ｚ’方向およびＸ−Ｘ’方向に直交する方向である。なお、図６では、燃料載置部５００が図示省略されているので、図５を借りて参照する。
【００６０】
屋外用燃焼装置Ｂ４は、下記相違点で屋外用燃焼装置Ｂ３と相違する以外、屋外用燃焼装置Ｂ３と同じ構成である。相違点１）屋外用燃焼装置Ｂ４は、連結部８００に代えて、フレーム９００を備えている。相違点２）屋外用燃焼装置Ｂ４の脚部６００’は、フレーム９００に取り付けられている。相違点３）火床１００’’が、フレーム９００内に配置されている。相違点４）フレーム９００および火床１００’’のうちの一つが、一対の第１支持部Ｓ１’’’および第２支持部Ｓ２’’’を有し、フレーム９００および火床１００’’のうちの一つが、一対の第３支持部Ｓ３’’’および第４支持部Ｓ４’’’を有している。なお、フレーム９００および火床１００’’のうちの一つが、一対の第１支持部Ｓ１’’’および第２支持部Ｓ２’’’を有し、残りの一つが、一対の第３支持部Ｓ３’’’および第４支持部Ｓ４’’’を有する構成とすることが可能である。以下、屋外用燃焼装置Ｂ４については、これらの相違点についてのみ詳しく説明し、屋外用燃焼装置Ｂ３の説明と重複する説明については省略する。
【００６１】
フレーム９００は上部開放の多角形の箱型または多角形の筒である。前者の場合、フレーム９００は多角形状の底部および底部の各辺からＺ−Ｚ’方向に延びており且つ多角環状に配置された複数の側壁９１０を有している。後者の場合、フレーム９００はＺ−Ｚ’方向に延びており且つ多角環状に配置された複数の側壁９１０を有している。何れの場合も、側壁９１０のうちの隣り合う側壁９１０の側辺同士が接続されている。
【００６２】
以下、説明の便宜上、側壁９１０のうち、対向する二つの側壁９１０を第１組の側壁９１０と称し、別の対向する二つの側壁９１０を第２組の側壁９１０と称する。また、側壁９１０のうち、隣り合う側壁９１０を第１の隣り合う側壁９１０と称し、隣り合う側壁９１０を第２の隣り合う側壁９１０を称する。
【００６３】
脚部６００’は、例えば、下記１）または２）の構成とすることが可能である。
１）脚部６００’は、一対の脚６１０’を有している。この脚６１０’は互いに対向するように、フレーム９００の側壁９１０または底部の外面に取り付けられている。なお、脚６１０’は、例えば、下向き略Ｕ字状、Ｈ字状、下向きＴ字状、下向きＶ字状またはＸ字状などの耐熱性を有するパイプ、棒または板とすることができるが、これに限定されるものではない。
２）脚部６００’は、Ｚ−Ｚ’方向に延びた棒またはポールである３以上の脚６１０’を有している。この脚６１０’は、環状に配置されるように、フレーム９００の側壁９１０または底部の外面に取り付けられている。なお、図６では、脚部６００’は四つの脚６１０’を有し、その内の二つがフレーム９００のＸ方向側の側壁９１０の外面に取り付けられ、残り二つがＸ’方向側の側壁９１０の外面に取り付けられている。
【００６４】
火床１００’’は、上部開放の多角形の箱型であって、複数の側板１１０’’および底板１２０’’を有している。火床１００’’の内部には燃焼空間が設けられている。底板１２０’’は多角形状の板であって、複数の辺を有している。側板１１０’’は底板１２０’’の辺からＺ方向に各々延び且つ多角環状に配置された板である。側板１１０’’の隣り合う側辺同士が接続されている。側板１１０’’のうち、対向する二つの側板１１０’’が屋外用燃焼装置Ｂ１の第１組の側板１１０に相当し、別の対向する二つの側板１１０’’が屋外用燃焼装置Ｂ１の第２組の側板１１０に相当する。側板１１０’’のうち、隣り合う側板１１０’’が屋外用燃焼装置Ｂ２の第１の隣り合う側板１１０に相当し、隣り合う側板１１０’’が屋外用燃焼装置Ｂ２の第２の隣り合う側板１１０に相当する。
【００６５】
火床１００’’は、フレーム９００の底部上に載置され、フレーム９００内に収容されている。または、火床１００’’は、フレーム９００の側壁９１０の内面に設けられた係合部によって、フレーム９００内で支持されている。
【００６６】
燃料載置部５００（図５を借りて参照）は、火床１００’’の底板１２０’’上に載置された構成とすることが可能である。または、火床１００’’の側板１１０’’の下部に設けられた係合部に係合され支持される構成とすることが可能である。
【００６７】
一対の第１支持部Ｓ１’’’および第２支持部Ｓ２’’’の各々は、以下の１）または２）の構成とすることが可能である。
１）第１支持部Ｓ１’’’および第２支持部Ｓ２’’’が、火床１００’’に設けられている場合、第１支持部Ｓ１’’’、第２支持部Ｓ２’’’は、それぞれ上記第１支持部Ｓ１、上記第２支持部Ｓ２、または上記第１支持部Ｓ１’、上記第２支持部Ｓ２’同様の構成とすることが可能である。
【００６８】
２）第１支持部Ｓ１’’’および第２支持部Ｓ２’’’が、フレーム９００に設けられている場合、第１支持部Ｓ１’’’は、第１組の側壁９１０または第１組の隣り合う側壁９１０の一つの側壁９１０の上縁自体、一つの側壁９１０の上縁に設けられており且つ上方に開口した凹部またはスリット、一つの側壁９１０に設けられた貫通孔、または一つの側壁９１０の上縁から上方向にのびた一対の突部などであり、第２支持部Ｓ２’’’は、別の一つの側壁９１０の上縁自体、別の一つの側壁９１０の上縁に設けられており且つ上方に開口した凹部またはスリット、別の一つの側壁９１０に設けられた貫通孔、または別の一つの側壁９１０の上縁から上方向にのびた一対の突部などである。
２）の場合、一対の第１支持部Ｓ１’’’および第２支持部Ｓ２’’’は、火床１００’’よりも上側に位置していると良い。また、一対の第１支持部Ｓ１’’’および一対の第２支持部Ｓ２’’’は、側壁９１０の長手方向（第１方向）に間隔をあけて配置されている。一対の第１支持部Ｓ１’’’と一対の第２支持部Ｓ２’’’とは互いに対向している。
なお、上記のとおり、第１懸架部材２００が折り曲げられている場合や第１懸架部材２００が凹部２１０を有している場合、第１支持部Ｓ１’’’および第２支持部Ｓ２’’’である貫通孔は、第１懸架部材２００のＺ−Ｚ’方向の寸法よりも大きい長孔（例えば、角長孔や丸長孔）とすると良い。
【００６９】
一対の第１懸架部材２００の各々は、上記した何れかの態様の第１支持部Ｓ１’’’および第２支持部Ｓ２’’’に着脱自在に支持され、火床１００’’の側板１１０’’間またはフレーム９００の側壁９１０間に懸架されている。より具体的には、一対の第１懸架部材２００の各々は、下記１）〜４）の何れかのとおりに側壁９１０間に懸架されている。
１）第１支持部Ｓ１’’’および第２支持部Ｓ２’’’が上縁である場合、第１懸架部材２００の第１、第２部が上縁上に各々載置されている。この場合、第１懸架部材２００が上方に持ち上げられることによって、第１懸架部材２００の第１、第２部の上縁に対する載置が解除される。
２）第１支持部Ｓ１’’’および第２支持部Ｓ２’’’が凹部またはスリットである場合、第１懸架部材２００の第１、第２部が凹部またはスリット内に上方から各々挿入支持されている。この場合、第１懸架部材２００が上方に持ち上げられることによって、第１懸架部材２００の第１、第２部が凹部またはスリットから各々脱する。
３）第１支持部Ｓ１’’’および第２支持部Ｓ２’’’が貫通孔である場合、第１懸架部材２００が貫通孔内に略水平方向から各々挿入され、第１懸架部材２００の第１、第２部が貫通孔に各々支持されている。この場合、第１懸架部材２００が挿入時と逆方向に引っ張られることによって、第１懸架部材２００が貫通孔から各々脱する。
４）第１支持部Ｓ１’’’および第２支持部Ｓ２’’’が一対の突部である場合、第１懸架部材２００の第１、第２部が突部間に上方から各々挿入支持されている。この場合、第１懸架部材２００が上方に持ち上げられることによって、第１懸架部材２００の第１、第２部が突部間から各々脱する。
【００７０】
一対の第３支持部Ｓ３’’’および第４支持部Ｓ４’’’が、火床１００’に設けられている場合、第３支持部Ｓ３’’’、第４支持部Ｓ４’’’は、それぞれ上記第３支持部Ｓ３、第４支持部Ｓ４、または上記第３支持部Ｓ３’、第４支持部Ｓ４’と同様の構成とすることが可能である。一対の第３支持部Ｓ３’’’および第４支持部Ｓ４’’’が、フレーム９００に設けられている場合、第３支持部Ｓ３’’’、第４支持部Ｓ４’’’は、第２懸架部材４００が第１懸架部材２００に交差するように第２懸架部材４００を着脱自在に支持する以外、フレーム９００に設けられた第１支持部Ｓ１’’’、第２支持部Ｓ２’’’と同様の構成とすることが可能である。
一対の第３支持部Ｓ３’’および一対の第４支持部Ｓ４’’は、一対の第１支持部Ｓ１’’および第２支持部Ｓ２’’の配列方向（上記第１方向）に交差する方向（第２方向）に間隔をあけて配置されている。一対の第３支持部Ｓ３’’と一対の第４支持部Ｓ４’’とは、互いに対向している。
なお、図６では、第３支持部Ｓ３’’’および第４支持部Ｓ４’’’は、フレーム９００の側壁９１０の上縁である。
【００７１】
上記のとおり、一対の第１懸架部材２００が一対の第１支持部Ｓ１’’’および一対の第２支持部Ｓ２’’’に支持され、且つ一対の第２懸架部材４００が一対の第３支持部Ｓ３’’’および一対の第４支持部Ｓ４’’’に支持された状態で、一対の第１懸架部材２００および一対の第２懸架部材４００は、平面視において井桁状に交差している。一対の第１懸架部材２００と一対の第２懸架部材４００との四つの交差部、一対の第１懸架部材２００の交差部間の部分および一対の第２懸架部材４００の交差部間の部分が四角環状の燃料支持部Ｘを構成している。燃料支持部Ｘは、上記した第１〜第４支持部Ｓ１’’’〜Ｓ４’’’が火床１００’’に設けられている場合、火床１００’’の燃焼空間内（火床１００’’内）または火床１００’’の燃焼空間の上側に配置され、上記した第１〜第４支持部Ｓ１’’’〜Ｓ４’’’が火床１００’’よりも上側に設けられている場合、火床１００’’の燃焼空間の上側に配置されている。燃料支持部Ｘ内に炭や薪などの固形燃料（図示せず）が配置可能であり、当該固形燃料を燃料支持部Ｘおよび燃料載置部５００に立てかけて支持させることが可能である。
【００７２】
第１懸架部材２００が凹部２１０を有する場合、第１支持部Ｓ１’’’、第２支持部Ｓ２’’’、第３支持部Ｓ３’’’および第４支持部Ｓ４’’’はほぼ同じ高さ位置に位置していても良いし、第１支持部Ｓ１’’’および第２支持部Ｓ２’’’と、第３支持部Ｓ３’’’および第４支持部Ｓ４’’’とが相違していても良い。相違する場合、第２懸架部材４００が第１懸架部材２００の凹部２１０に挿入されるように、第１懸架部材２００および第２懸架部材４００の少なくとも一方を略Ω字状とすると良い。
【００７３】
屋外用燃焼装置Ｂ４は、屋外用燃焼装置Ｂ１の技術的特徴および効果と同様の技術的特徴および効果を奏する。
【００７４】
なお、上記した屋外用燃焼装置は、上記実施例に限定されるものではなく、特許請求の範囲の記載範囲において任意に設計変更することが可能である。以下、詳しく述べる。
【００７５】
本発明の火床は、固形燃料を収容可能である限り任意に設計変更することが可能である。例えば、上記火床１００は、上記ヒンジ部１２１を省略し、側板１１０の側辺同士が溶接等で接続されていても良い。この場合、側板１１０は多角形であれば良く、且つ側板１１０の数は３以上であれば良い。または、火床１００は円筒状とすることも可能である。この場合、側板１１０の数は一つである。火床１００’、１００’’は、円筒状の側板と、そのＺ’方向の開口を塞ぐ円板状の底板を備えた構成とすることが可能である。また、上記した何れかの態様の火床は、略半球殻状または碗状とすることも可能である。
【００７６】
本発明の脚部は、上記した何れかの態様の火床を中空で直接的または間接的に保持する構成またはフレームを中空で直接的または間接的に保持する構成であるかぎり任意に設計変更することが可能である。例えば、連結部８００が省略され、脚部６００’が火床１００’を直接支持する構成とすることが可能である。本発明の連結部は、脚部の脚間を連結するものであれば良く、少なくとも一つあれば良い。本発明の連結部は、支持部材６２０’を有する構成とすることが可能である。本発明のフレームは、その内側に上記した何れかの態様の火床を配置し得るものであれば良い。本発明において、火床および連結部は、別部材である必要はなく、火床が連結部を兼ねていても良い。
【００７７】
本発明の第１支持部、第２支持部は、屋外用燃焼装置の火床、フレーム、脚部、連結部および、これらのうちの一つに設けられた棒、板またはパイプなどの支持部材のうちの何れか一つに設けられており且つ上記した何れかの態様の第１懸架部材が第１支持部および第２支持部に懸架されるように、当該第１懸架部材を支持するものであれば良い。第１支持部、第２支持部が火床以外に設けられている場合、第１支持部、第２支持部は、火床よりも上側に位置していると良い。なお、本発明の第２支持部は、屋外用燃焼装置の火床、フレーム、脚部、連結部のうちの第１支持部が設けられていない別の一つに設けられていても良い。本発明の第１支持部、第２支持部は、少なくとも二つ（一対）あれば良く、３以上であっても良い。
【００７８】
本発明の第３支持部、第４支持部は、屋外用燃焼装置の火床、フレーム、脚部、連結部およびこれらのうちの一つに設けられた棒、板またはパイプなどの支持部材のうちの何れか一つに設けられており且つ上記した何れかの態様の第２懸架部材が、第３支持部および第４支持部に懸架されるように、当該第２懸架部材を支持するものであれば良い。第３支持部、第４支持部が火床以外に設けられている場合、第３支持部、第４支持部は、火床よりも上側に位置していると良い。なお、本発明の第４支持部は、屋外用燃焼装置の火床、フレーム、脚部、連結部のうちの第３支持部が設けられていない別の一つに設けられていても良い。本発明の第３支持部、第４支持部は、少なくとも二つ（一対）あれば良く、３以上であっても良い。
【００７９】
本発明の五徳は、火床の燃焼空間の上側または前記燃焼空間内に配置される環状の燃料支持部を有する限り任意に設計変更することが可能である。例えば、環状の燃料支持部から放射状に複数の懸架部材が延びており、この懸架部材が上記した何れかの態様の第１〜第４支持部に支持される構成とすることが可能である。本発明の五徳の一対の第２懸架部材は、図７Ａ〜図１０Ｅに示すように省略可能である。この場合、本発明の五徳の一対の第１懸架部材は、上記した何れかの態様の一対の第１支持部および一対の第２支持部に支持されていても良いし、その代わりに、一対の第３支持部および一対の第４支持部に支持されていても良い。
【００８０】
なお、上記実施例の各態様および設計変形例における屋外用燃焼装置の各構成要素を構成する素材、形状、寸法、数および配置等はその一例を説明したものであって、同様の機能を実現し得る限り任意に設計変更することが可能である。上記した実施例の各態様および設計変更例は、互いに矛盾しない限り、相互に組み合わせることが可能である。なお、本発明のＺ−Ｚ’方向は、本発明の高さ方向である限り任意に設定可能である。本発明のＸ−Ｘ’方向は、Ｚ−Ｚ’方向に交差する限り任意に設定可能である。本発明のＹ−Ｙ’方向は、Ｚ−Ｚ’方向およびＸ−Ｘ’方向に交差しており且つＺ−Ｚ’方向およびＸ−Ｘ’方向が位置する平面上に位置しない限り任意に設定することができる。
【符号の説明】
【００８１】
Ｂ１、Ｂ２、Ｂ３、Ｂ４：屋外用燃焼装置
１００、１００’、１００’’：火床
１１０（１１０ａ、１１０ｂ）、１１０’、１１０’’：側板
２００：第１懸架部材
２１０：凹部
４００：第２懸架部材
５００：燃料載置部
６００、６００’：脚部
７００：灰受け
８００：連結部
９００：フレーム
Ｓ１、Ｓ１’、Ｓ１’’、Ｓ１’’’：第１支持部
Ｓ２、Ｓ２’、Ｓ２’’、Ｓ２’’’：第２支持部
Ｓ３、Ｓ３’、Ｓ３’’、Ｓ３’’’：第３支持部
Ｓ４、Ｓ４’、Ｓ４’’、Ｓ４’’’：第４支持部
【図１】
2019042212.tif 000003
【図２】
2019042212.tif 000004
【図３】
2019042212.tif 000005
【図４】
2019042212.tif 000006
【図５】
2019042212.tif 000007
【図６】
2019042212.tif 000008
【図７Ａ】
2019042212.tif 000009
【図７Ｂ】
2019042212.tif 000010
【図７Ｃ】
2019042212.tif 000011
【図７Ｄ】
2019042212.tif 000012
【図７Ｅ】
2019042212.tif 000013
【図８Ａ】
2019042212.tif 000014
【図８Ｂ】
2019042212.tif 000015
【図８Ｃ】
2019042212.tif 000016
【図８Ｄ】
2019042212.tif 000017
【図８Ｅ】
2019042212.tif 000018
【図９Ａ】
2019042212.tif 000019
【図９Ｂ】
2019042212.tif 000020
【図９Ｃ】
2019042212.tif 000021
【図９Ｄ】
2019042212.tif 000022
【図９Ｅ】
2019042212.tif 000023
【図１０Ａ】
2019042212.tif 000024
【図１０Ｂ】
2019042212.tif 000025
【図１０Ｃ】
2019042212.tif 000026
【図１０Ｄ】
2019042212.tif 000027
【図１０Ｅ】
2019042212.tif 000028